(57)【要約】      （修正有）【課題】表記面に字を書きやすく、水平支持部材に沿って移動させる際の操作性が良い、水平支持部材に支持された状態で移動可能な吊下げボードを提供する。【解決手段】表記面又は表示面を表面２Ａに有するボード本体２と、ボード本体２の裏面２Ｂ上部に設けた吊下げ係合部材３とを備え、吊下げ係合部材３は、水平支持部材の水平厚み方向の端部上面のレールに係合する複数のガイドローラー４と、レールにガイドローラー４が係合してボード本体２が垂下した状態で、水平支持部材の側面に当接する当接部材５とを有する。側面に当接部材５が当接した状態では、水平支持部材の長手方向への吊下げボードの移動が、側面と当接部材５との間の摩擦力により規制され、側面から当接部材５が離間するようにボード本体２を傾けた状態では、前記移動が規制されない。【選択図】図３
2019064085.tif 000002
【特許請求の範囲】
【請求項１】
水平支持部材に支持された状態で前記水平支持部材の長手方向へ移動可能な吊下げボードであって、
表記面又は掲示面を表面に有するボード本体と、
前記ボード本体の裏面上部に設けた吊下げ係合部材とを備え、
前記吊下げ係合部材は、
前記水平支持部材の水平厚み方向の端部上面のレールに係合する複数のガイドローラーと、
前記レールに前記ガイドローラーが係合して前記ボード本体が垂下した状態で、前記水平支持部材の側面に当接する当接部材とを有し、
前記水平支持部材の側面に前記当接部材が当接した状態では、前記水平支持部材の長手方向への前記吊下げボードの移動が、前記水平支持部材の側面と前記当接部材との間の摩擦力により規制され、
前記レールに前記ガイドローラーを係合させたまま、前記水平支持部材の側面から前記当接部材が離間するように前記ボード本体を傾けた状態では、前記水平支持部材の長手方向への前記吊下げボードの移動が規制されないことを特徴とする、
水平支持部材に支持された状態で移動可能な吊下げボード。
【請求項２】
前記レールは、その長手方向に直交する鉛直断面が滑らかな曲線状である凸条であり、
前記ガイドローラーは、その外周面に凹部を有する溝付きローラーである、
請求項１記載の水平支持部材に支持された状態で移動可能な吊下げボード。
【請求項３】
前記当接部材がエラストマーである、
請求項１又は２記載の水平支持部材に支持された状態で移動可能な吊下げボード。
【発明の詳細な説明】
【技術分野】
【０００１】
本発明は、支柱間に架け渡した横架部材、又はパネル材の上枠等の水平支持部材に支持された状態で使用し、前記水平支持部材に支持された状態で前記水平支持部材に沿って移動可能な吊下げボードに関する。
【背景技術】
【０００２】
床面から立設した４本の支柱（３，３，…）と、隣接して配置した支柱（３，３）同士の上部間を連結する連結杆（４，４，…）とによって平面視方形に組付けた基本枠体（１）と、デスク等の作業平面構成什器（１８）からなるベース什器（２）とからなる執務空間構成什器がある（例えば、特許文献１参照）。
この執務空間構成什器は、オプション部材としてホワイトボードパネル（３７ａ）を備え、ホワイトボードパネル（３７ａ）の上端を、複数の吊持具（３８，３８）により連結杆（４）に吊持することにより、連結杆（４）により支持された状態でホワイトボードパネル（３７ａ）が移動可能なように構成している（例えば、特許文献１の図１、図１０〜図１２参照）。
【０００３】
また、黒板やホワイトボード等の書き込みボード（３）の裏面に立設した支軸（５，５，…）に軸着されたローラー（６，６，…）を、間仕切り壁（１）の壁面に固定した上下のレール材（２，２）でガイドすることにより、書き込みボード（３）を移動可能に構成したものがある（例えば、特許文献２の図１〜図３参照）。
【先行技術文献】
【特許文献】
【０００４】
【特許文献１】特開２０１１−１０４４１６号公報
【特許文献２】登録実用新案第３０１５５４８号公報
【発明の概要】
【発明が解決しようとする課題】
【０００５】
特許文献１のホワイトボードパネル（３７ａ）は、ホワイトボードパネル（３７ａ）の上面に取り付けた２個の吊持具（３８，３８）の上部材（３９，３９）を、連結杆（４）の下面の奥幅広係止溝（８）に係止することにより、連結杆（４）に支持される（図１２）。
よって、ホワイトボードパネル（３７ａ）が面外方向へぐらつきやすく、字を書く際に揺れやすいため、表記面に字を書きにくいという問題点がある。
【０００６】
その上、ホワイトボードパネル（３７ａ）の上方の２個の上部材（３９，３９）が連結杆（４）の下面の奥幅広係止溝（８）に係止されていることから、ホワイトボードパネル（３７ａ）を連結杆（４）に沿って移動させる場合、移動方向に直交する水平方向軸まわりにホワイトボードパネル（３７ａ）が傾いて、２個の上部材（３９，３９）が奥幅広係止溝（８）内で引っ掛かる場合ある。その結果、２個の吊持具（３８，３８）の上部材（３９，３９）が奥幅広係止溝（８）内を上手く摺動しにくくなるので、ホワイトボード（３７ａ）を円滑に移動させることができなくなる。
よって、例えば、ホワイトボード（３７ａ）を円滑に移動させるためには、ホワイトボード（３７ａ）を両手で持って、２個の上部材（３９，３９）の奥幅広係止溝（８）内に係止している部分を浮かせるように持ち上げながら、ホワイトボード（３７ａ）を連結杆（４）に沿って移動させる必要があるので、ホワイトボードパネル（３７ａ）を連結杆（４）に沿って移動させる際に操作性が悪いという問題点がある。
【０００７】
特許文献２の書き込みボード（３）は、上下のローラー（６，６，…）が間仕切り壁（１）の壁面に固定した上下のレール材（２，２）にガイドされるので、字を書く際に揺れにくく表記面に字を書きやすいと考えられる。
また、上下のレール材（２，２）をローラー（６，６，…）が転動するので、書き込みボード（３）を間仕切り壁（１）に沿って移動させる際の操作性は、比較的良いと考えられるが、ローラー（６）の側面や書き込みボード（３）の裏面がレール材（２）に摺動するので、動作が重くなって操作性が悪くなる場合がある。
【０００８】
特許文献２のようなローラーをレール材でガイドする構成を、間仕切り壁（１）の壁面の上下にレールを設置するのではなく、支柱間に架け渡した横架部材、又は間仕切りパネル等のパネル材の上枠等の水平支持部材により書き込みボード（３）を支持する構造で採用する場合、一本のレール材（２）により例えば２つのローラー（６，６）を支持することになる。
よって、その場合は、書き込みボード（３）が特許文献１の構成と同様に面外方向へぐらつきやすく、字を書く際に揺れやすいため、表記面に字を書きにくいという問題点がある。
その上、一本のレール材（２）により例えば２つのローラー（６，６）を支持した状態でレール材（２）に沿って書き込みボード（３）を移動させる場合も、上記と同様に動作が重くなって操作性が悪くなる場合がある。
【０００９】
そこで、本発明が前述の状況に鑑み、解決しようとするところは、表記面に字を書きやすく、水平支持部材に沿って移動させる際の操作性が良い、水平支持部材に支持された状態で移動可能な吊下げボードを提供する点にある。
【課題を解決するための手段】
【００１０】
本発明は、前述の課題解決のために、水平支持部材に支持された状態で前記水平支持部材の長手方向へ移動可能な吊下げボードであって、
表記面又は掲示面を表面に有するボード本体と、
前記ボード本体の裏面上部に設けた吊下げ係合部材とを備え、
前記吊下げ係合部材は、
前記水平支持部材の水平厚み方向の端部上面のレールに係合する複数のガイドローラーと、
前記レールに前記ガイドローラーが係合して前記ボード本体が垂下した状態で、前記水平支持部材の側面に当接する当接部材とを有し、
前記水平支持部材の側面に前記当接部材が当接した状態では、前記水平支持部材の長手方向への前記吊下げボードの移動が、前記水平支持部材の側面と前記当接部材との間の摩擦力により規制され、
前記レールに前記ガイドローラーを係合させたまま、前記水平支持部材の側面から前記当接部材が離間するように前記ボード本体を傾けた状態では、前記水平支持部材の長手方向への前記吊下げボードの移動が規制されないことを特徴とする（請求項１）。
【００１１】
このような構成によれば、水平支持部材の水平厚み方向の端部上面のレールに、吊下げボードの吊下げ係合部材のガイドローラーが係合してボード本体が垂下した状態では、水平支持部材の側面に前記吊下げ係合部材の当接部材が当接し、水平支持部材の長手方向への吊下げボードの移動が、水平支持部材の側面と当接部材との間の摩擦力により規制される。
よって、水平支持部材に対して吊下げボードがガタつくことなく支持された状態が保持されるので、ボード本体の表面が表記面である場合に字を書きやすい。
【００１２】
その上、レールにガイドローラーを係合させたまま、水平支持部材の側面から当接部材が離間するようにボード本体を傾けた状態では、水平支持部材の側面と当接部材とは当接しないことから、水平支持部材の長手方向への吊下げボードの移動が規制されない。
よって、前記のようにボード本体を傾けた状態で、レール上をガイドローラーが転動しながら吊下げボードを軽快に移動させることができるので、吊下げボードを水平支持部材に沿って移動させる際の操作性を向上できる。
【００１３】
ここで、前記レールは、その長手方向に直交する鉛直断面が滑らかな曲線状である凸条であり、
前記ガイドローラーは、その外周面に凹部を有する溝付きローラーであるのが好ましい実施態様である（請求項２）。
【００１４】
このような構成によれば、水平支持部材の水平厚み方向の端部上面のレールの長手方向に直交する鉛直断面が滑らかな曲線状である凸条であり、吊下げボードのガイドローラーの外周面の凹部が前記凸条に係合する。
よって、水平支持部材の長手方向へ吊下げボードを移動させる際にボード本体を傾けやすく、ボード本体を傾けた状態でも、前記凸条である前記レールに前記ガイドローラーの凹部が係合した状態を安定かつ確実に保持できる。
【００１５】
また、前記当接部材がエラストマーであるのが一層好ましい実施態様である（請求項３）。
【００１６】
このような構成によれば、吊下げボードのボード本体が垂下した状態で、水平支持部材の側面に、当接部材である、柔軟で摩擦係数が大きいエラストマーが当接する。
よって、ボード本体が垂下し、水平支持部材の側面に当接部材が当接してボード本体が静止している状態がより安定する。
その上、吊下げボードの移動後に傾けたボード本体から手を離した際に、当接部材が水平支持部材の側面に衝突する際の衝撃力が緩和されるとともに騒音が発生しない。
【発明の効果】
【００１７】
以上のとおり、本発明に係る水平支持部材に支持された状態で移動可能な吊下げボードによれば、表記面に字を書きやすく、水平支持部材に沿って移動させる際の操作性が良いこと等の顕著な効果を奏する。
【図面の簡単な説明】
【００１８】
【図１】本発明の実施の形態に係る水平支持部材に支持された状態で移動可能な吊下げボードをゾーニング什器に用いた例を示す斜視図である。
【図２】吊下げボードを裏面側から見た要部拡大斜視図であり、水平支持部材を縦断して示している。
【図３】吊下げ係合部材の分解斜視図である。
【図４】水平支持部材及び吊下げボードの要部拡大縦断面図であり、水平支持部材の側面に当接部材が当接している状態を示している。
【図５】同じく要部拡大縦断面図であり、水平支持部材の側面から当接部材が離間するようにボード本体を傾けた状態を示している。
【図６】レールとガイドローラーとの係合を示す要部拡大概略縦断面図である。
【発明を実施するための形態】
【００１９】
次に、添付図面に示した実施形態に基づき、本発明を更に詳細に説明する。
以下の実施形態では、本発明の実施の形態に係る水平支持部材に支持された状態で移動可能な吊下げボードを、床面に立設する複数の支柱と、隣り合う前記支柱同士の上端部間を繋ぐ横架部材とにより構成されるゾーニング什器に用いた例を示す。
吊下げボードを支持する水平支持部材は、前記ゾーニング什器等の支柱間に架け渡した横架部材に限定されるものではなく、間仕切りパネル等のパネル材の上枠等であってもよい。
【００２０】
図１の斜視図に示すゾーニング什器Ｏは、床面に立設する４本の支柱Ａ，Ａ，…の上端間を横架部材Ｂ，Ｂ，…で連結して空間を演出するものであり、横架部材Ｂ，Ｂ，…が、吊下げボード１を支持する水平支持部材である。
本発明の実施の形態に係る水平支持部材に支持された状態で移動可能な吊下げボード１は、ボード本体２を、図１の傾斜方向Ｐのように傾斜させることにより、水平支持部材Ｂの長手方向Ｌへ容易に移動させることができる。
ボード本体２は、ホワイトボード、カラーボード若しくは黒板等の書き込み可能なボード、又はコルクボード若しくはマグネットボード等の掲示用のボード等であり、その表面２Ａは、表記面又は掲示面Ｄである。
【００２１】
図２の裏面側から見た要部拡大斜視図に示すように、吊下げボード１は、ボード本体２の裏面２Ｂ上部に吊下げ係合部材３を備える。
水平支持部材Ｂは、水平厚み方向Ｔの端部上面に、長手方向Ｌへ延びるレールＲ，Ｒを備える。
吊下げ係合部材３は、水平支持部材Ｂの長手方向Ｌの両端部に、水平支持部材ＢのレールＲに係合する２個のガイドローラー４，４を備える。
また、吊下げ係合部材３は、レールＲにガイドローラー４，４が係合してボード本体２が垂下した状態で、水平支持部材Ｂの側面Ｃに当接する、２個の当接部材５，５をガイドローラー４，４の下方に備える。
【００２２】
なお、吊下げ係合部材３のガイドローラー４は、３個以上であってもよく、複数であればよい。
また、吊下げ係合部材３の当接部材５は、必ずしもガイドローラー４の下方に位置させる必要はなく、少なくとも１個備えればよい。
【００２３】
図３の分解斜視図、及び図４の要部拡大縦断面図に示すように、当接部材５は、取付ねじ７を通孔５Ａに通してボード本体２の螺孔２Ｃに螺合することにより、ボード本体２の裏面２Ｂ側に固定する。
ガイドローラー４は、軸受を介して支軸６により支持されており、支軸６のねじ部６Ａを基体Ｅの螺孔Ｉに螺合することにより、基体Ｅに取り付ける。
【００２４】
そして、基体Ｅは、丸孔Ｈ１，Ｈ１，…及び切欠孔Ｈ２，Ｈ２，…に取付ねじ８，８，…を通して螺孔２Ｄ，２Ｄ，…に螺合することにより、ボード本体２の裏面２Ｂ側に固定する。この状態では、図４のように、基体Ｅの開口部Ｇから当接部材５の頂部が突出する。
基体Ｅのスリット孔Ｋ，Ｋに、カバー体Ｆの係止片Ｎ，Ｎを差し込んだ状態で、取付ねじ９，９を通孔Ｍ，Ｍを通して螺孔Ｊ，Ｊに螺合することにより、カバー体Ｆを基体Ｅに取り付ける。この状態では、図４のように、ガイドローラー４の上部をカバー体Ｆが被っているので、カバー体Ｆによりガイドローラー４が保護される。
【００２５】
図１の斜視図、及び図４の要部拡大縦断面図に示すように、ボード本体２が垂下して静止した状態では、水平支持部材Ｂの側面Ｃに当接部材５，５が当接している。それにより、水平支持部材Ｂの長手方向Ｌへの吊下げボード１の移動が、水平支持部材Ｂの側面Ｃと当接部材５，５との間の摩擦力により規制される。
よって、水平支持部材Ｂに対して吊下げボード１がガタつくことなく支持された状態が保持されるので、ボード本体２の表面２Ａが表記面である場合に字を書きやすい。
【００２６】
図１の斜視図、及び図５の要部拡大縦断面図に示すように、レールＲにガイドローラー４，４を係合させたまま、図中矢印Ｐのように水平支持部材Ｂの側面Ｃから当接部材５，５が離間するようにボード本体２を傾けると、前記摩擦力は無くなる。それにより、水平支持部材Ｂの長手方向Ｌへの吊下げボード１の移動が規制されない。
よって、前記のようにボード本体２を傾けた状態で、レールＲ上をガイドローラー４，４が転動しながら吊下げボード１を軽快に移動させることができるので、吊下げボード１を水平支持部材Ｂに沿って移動させる際の操作性を向上できる。
なお、ボード本体２を傾ける角度が小さい場合、水平支持部材Ｂの側面Ｃと当接部材５，５とが軽く接触した状態となり、水平支持部材Ｂの長手方向Ｌへ吊下げボード１を移動させる際に水平支持部材Ｂの側面Ｃと当接部材５，５とは軽く摺動する。このように水平支持部材Ｂの側面Ｃから当接部材５，５を離間させない状態で、水平支持部材Ｂの側面Ｃと当接部材５，５とが軽く摺動している状態でも、吊下げボード１の移動が規制されない場合がある。
【００２７】
図４及び図５の要部拡大縦断面図、並びに図６の要部拡大概略縦断面図に示す、水平厚み方向Ｔの端部上面にレールＲ，Ｒは、その長手方向に直交する鉛直断面が滑らかな曲線状である凸条である。
ここで、レールＲの前記鉛直断面の形状は、円弧状、半円状、甲丸（かまぼこ）状等が好ましい。
また、ガイドローラー４は、その外周面に凹部４Ａ（図６）を有する溝付きローラーである。
ここで、凹部４Ａは、例えば、Ｒ溝、又はＶ溝等の周溝である。
【００２８】
よって、図６のようにレールＲにガイドローラー４の凹部４Ａが係合した状態で、図５の矢印Ｐのようにボード本体２を傾ける操作を円滑に行うことができ、ボード本体２を傾けた状態でも、図６の二点鎖線のように、前記凸条であるレールＲにガイドローラー４の凹部４Ａが係合した状態を安定かつ確実に保持できる。
【００２９】
図２の裏面側から見た要部拡大斜視図、及び図３の分解斜視図、並びに図４及び図５の要部拡大縦断面図に示す当接部材５は、エラストマーであり、合成ゴム、天然ゴム、及び熱可塑性エラストマーを含む。
当接部材５は、エラストマーに限定されず、合成樹脂等であってもよいが、エラストマーであるのがより好ましい実施態様である。
【００３０】
当接部材５，５をエラストマーにすることにより、吊下げボード１のボード本体２が垂下した状態で、水平支持部材Ｂの側面Ｃに、当接部材５である、柔軟で摩擦係数が大きいエラストマーが当接する。
よって、ボード本体２が垂下し、水平支持部材Ｂの側面Ｃに当接部材５，５が当接してボード本体２が静止している状態がより安定する。
その上、吊下げボード１の移動後に傾けたボード本体２から手を離した際に、当接部材５，５が水平支持部材Ｂの側面Ｃに衝突する際の衝撃力が緩和されるとともに騒音が発生しない。
【００３１】
以上の実施の形態の記載はすべてすべて例示であり、これに制限されるものではない。本発明の範囲から逸脱することなく種々の改良及び変更を施すことができる。
【符号の説明】
【００３２】
１  吊下げボード
２  ボード本体
２Ａ  表面
２Ｂ  裏面
２Ｃ，２Ｄ  螺孔
３  吊下げ係合部材
４  ガイドローラー
４Ａ  周溝部
５  当接部材
５Ａ  通孔
６  支軸
６Ａ  ねじ部
７，８，９  取付ねじ
Ａ  支柱
Ｂ  水平支持部材（横架部材）
Ｃ  側面
Ｄ  表記面又は掲示面
Ｅ  基体
Ｆ  カバー体
Ｇ  開口部
Ｈ１  丸孔
Ｈ２  切欠孔
Ｉ，Ｊ  螺孔
Ｋ  スリット孔
Ｌ  水平支持部材の長手方向
Ｍ  通孔
Ｎ  係止片
Ｏ  ゾーニング什器
Ｐ  傾斜方向
Ｒ  レール
Ｔ  水平厚み方向
【図１】
2019064085.tif 000003
【図２】
2019064085.tif 000004
【図３】
2019064085.tif 000005
【図４】
2019064085.tif 000006
【図５】
2019064085.tif 000007
【図６】
2019064085.tif 000008